(57)【要約】【課題】      ドラム缶等の外容器の内部に合成樹脂製の内容器を収めた状態で各種液体や粉体の収納や輸送に使用する複合容器において、内容器の内壁にこびりついている鉄粉等の塵や埃を低コストかつ短時間で清掃することができ、収納物と塵や埃とが混ざらないような複合容器の清掃方法を提供すること。【解決手段】  外容器の内部に合成樹脂製の内容器３を収めた複合容器１の容器開口部５を密閉し、密閉容器内にイオン化した空気を噴射する静電気除去エアガン９により空気を送り込むと共に、エアフィルターにて塵や埃を除去しつつ空気を空気排出口１０から外部に取り出す複合容器の清掃方法。【選択図】    図１
2005270827.tif 000002
【特許請求の範囲】
【請求項１】
外容器の内部に合成樹脂製の内容器を収めた複合容器の容器開口部を密閉し、密閉容器内にイオン化した空気を噴射する静電気除去エアガンにより空気を送り込むと共に、エアフィルターにて塵や埃を除去しつつ空気を外部に取り出すことを特徴とする複合容器の清掃方法。
【発明の詳細な説明】
【技術分野】
【０００１】
この発明は、ドラム缶等の外容器の内部に合成樹脂製の内容器を収めた状態で各種液体や粉体の収納や輸送に使用する複合容器において、内容器の内壁にこびりついている鉄粉等の塵や埃を取り去る清掃に関するものである。
【背景技術】
【０００２】
ドラム缶等の有底筒状の容器を利用して各種液体の収納や輸送を行なう場合、筒状胴部の下端を底部で閉鎖したドラム缶等の外容器の内径とほぼ同じ大きさの直径を有する合成樹脂製の有底状の内容器をドラム缶内に挿入して複合容器とし、この複合容器の内容器に各種液体や流動体を収納するようにすると、外容器であるドラム缶の内壁を収納物で汚さず、かつ同内壁に先に付着している液体や汚れと混ざることなく各種液体や流動体を収納したり輸送することができる。（例えば、特許文献１、特許文献２、特許文献３）。
【特許文献１】特開２００１−２７０５６４号公報
【特許文献２】特開２００２−３４７８３９号公報
【特許文献３】特開２００４−３５０６２号公報
【発明の開示】
【発明が解決しようとする課題】
【０００３】
ところで、これら合成樹脂製の内容器の外容器への装着は、ドラム缶等の外容器の製造場所にて行われることが多く、これらの場所は金属製のドラム缶等の製造過程で発生する鉄粉等、又はドラム缶への塗装を研磨する際に発生する塗料粉等の塵や埃が発生して空気中に漂っており、内容器の表面にこれらの塵や埃が付着してしまう。
【０００４】
そのままこれらの複合容器にて各種液体や粉粒物等の流動体を収納を行うと、これら収納物に塵や埃が不純物として混ざってしまい、収納物の品質が低下してしまうおそれがあり、純度が要求される液体や粉粒物の収納には適さないこととなる。
【０００５】
そのため、これら収納物を複合容器に収納する前に、内容器表面から塵や埃を取り去ればよいが、内容器は合成樹脂製であり表面に静電気が発生しやすく、この静電気により塵は埃を強力に吸着しており、簡単には排除できない。
【０００６】
これら強力に吸着した塵や埃を完全に取り去るには、容器内を水による洗浄を行うこととなるが、この洗浄設備及び洗浄後の乾燥工程等が必要となり、高コストとなってしまう。
【０００７】
そこでこの発明の課題は、ドラム缶等の外容器の内部に合成樹脂製の内容器を収めた状態で各種液体や粉体の収納や輸送に使用する複合容器において、内容器の内壁にこびりついている鉄粉等の塵や埃を低コストかつ短時間で清掃することができ、収納物と塵や埃とが混ざらないような複合容器の清掃方法を提供することを課題とする。
【課題を解決するための手段】
【０００８】
上記のような課題を解決するため、この発明は、外容器の内部に合成樹脂製の内容器を収めた複合容器の容器開口部を密閉し、密閉容器内にイオン化した空気を噴射する静電気除去エアガンにより空気を送り込むと共に、エアフィルターにて塵や埃を除去しつつ空気を外部に取り出すことを特徴とする複合容器の清掃方法である。
【０００９】
ここで、空気をイオン化して噴射する静電気除去エアガンとは、主に電子部品や精密部品の静電気除去のために使用されているもので、プラス及びマイナスの電荷を帯びたイオンを含む空気を対象物に噴射することで対象物に発生している静電気を電荷交換により消し去るものであり、このイオン化空気を利用して合成樹脂製の内容器表面に発生している静電気を瞬時に除去し、同時に空気圧力により表面に吸着していた塵や埃を吹き飛ばすのである。
【００１０】
吹き飛ばされた塵や埃を含む空気は、エアフィルターを通して密閉容器内から外部に導き出され、エアフィルターにて塵や埃が取り除かれ、再び内容器表面に吸着することはない。
【発明の効果】
【００１１】
この発明によると、複合容器の内部の内容器表面にこびりついた塵や埃を静電気除去エアガンにて瞬時に取り去ることができるので、複合容器に収納した収納物に塵や埃が不純物として混ざり合うことによる収納物の品質低下が無くなる。
【００１２】
また、塵や埃を除去するための水を利用した高価な洗浄設備や洗浄・乾燥工程が不要になり、設備コストの低減や製造時間の短縮となる。
【００１３】
更に、イオン化空気の噴射により内容器表面から取り除かれた塵や埃を含む密閉容器内の空気は、エアフィルターを通して外部に出るので、エアフィルターの部分で塵や埃が取り除かれており、作業場の空気を塵や埃で汚すこともない。
【発明を実施するための最良の形態】
【００１４】
以下、この発明の複合容器の清掃方法を、添付図面の図１及び図２に基づいて説明する。
【００１５】
図１において、複合容器１は、外容器としての金属製のドラム缶２と内側の合成樹脂製の柔軟性のある内容器３とからなっている。
【００１６】
ドラム缶２は適宜規格により決定された大きさの円筒状で、下端部（図中上側）が底板４で封鎖され、上端部（図中下側）が開放された開口部５となっており、収納物を収納後に適宜蓋板で開口部５は閉鎖される。
【００１７】
また、内容器３は、通常ポリエチレン等の合成樹脂をインシュレーション法により筒状体に形成し、この筒状体を内袋の側面部材として用い、一方端に同じく合成樹脂製の円形の底面部材を溶着等により接合し、ドラム缶２とほぼ同様の形状の円形の底面部と上面開口部を有する筒状としてドラム缶２内に収納するか、前記筒状体の一方端を直線状にシールして封鎖した後、ドラム缶２内で広げて、底部に皺を生じさせつつドラム缶２の内壁に密着させる等、周知の適宜手段にてドラム缶２と一体化させたものである。
【００１８】
上記複合容器１を基台６上に、複合容器１を上下逆にして、裁頭円錐形状のフィルター収納部７が開口部５の中に入るようにして載置する。
【００１９】
その際、基台６のフィルター収納部７の周囲にリング状に配置されたラバー８の上にドラム缶２の開口部５の周縁部を当接させて、複合容器１の自重を利用してこのラバー８を押さえることにより外部との空気を遮断するパッキンの役目をさせ、複合容器１の内部を密閉している。
【００２０】
この状態で、フィルター収納部７の上面中央部に上向きに配置された静電気除去エアガン９から、図示矢印で示すイオン化された空気を噴射する。なお、イオン化された空気の供給装置及び空気の噴射装置は周知のものが使用できる。
【００２１】
イオン化空気は図中矢印のように、静電気除去エアガン９から上方へ噴射され、内容器３の底面に衝突した後、底面周辺部へ広がり、更に内容器の側面側内壁面に沿って下降し、フィルター収納部７の側面に適宜手段（網目やスリット等）で開けられた開口部を通ってフィルター収納部７内部に導かれ、フィルターを通じて塵や埃が取り除かれた後、空気排出口１０から基台６外部に排出される。
【００２２】
このように静電気除去エアガン９からのイオン化空気の噴出と空気排出口１０からの空気の排出により、密閉された複合容器１内では矢印のようなイオン化空気の対流が生じており、この空気の対流は内容器３の底面及び側面全体に行き届き、イオンが内容器表面の静電気を除去しつつ静電気により内容器表面に吸着していた塵や埃をこの対流により取り去り、フィルター収納部７のフィルターにより取り除かれた塵や埃が取り除かれる。
【００２３】
図２は、この発明の清掃方法の他の実施形態を示すものであり、使用される複合容器１の外容器としてのドラム缶２と内側の内容器３については図１のものと同じであり説明を省略する。
【００２４】
この複合容器１を上下逆にして、基台６上のラバー８の上にドラム缶２の開口部５の周縁部を当接させて、複合容器１の自重を利用してこのラバー８を押さえることにより外部との空気を遮断するパッキンの役目をさせるのは図１の例と同じであるが、この例では、ラバー８の内側に、複合容器１の大きさより若干小さめとなっている円筒状の凸部１１が設けられ、また基台６の凸部１１とラバー８の間には、適宜間隔で空気排出口１２が複数個設けられている。
【００２５】
凸部１１内には静電気除去エアガン９が収納されており、この静電気除去エアガンから噴射されるイオン化空気は凸部１１の上面中央部から吹き出し、図示矢印のように、内容器３の内壁と凸部１１の外表面との隙間を通って基台６に設けられた空気排出口１２を通ってからフィルター（図示せず）を通って外部に排出される。
【００２６】
この実施例によれば、凸部１１の大きさが複合容器１の大きさより若干小さいという条件があり、種々の大きさの容器に適用するといった汎用性は失われるが、大きさが規格化されたドラム缶やペール缶では問題にならない。
【００２７】
また、イオン化空気の通り道は内容器３の内壁と凸部１１の外表面との隙間であり、図１の対流を利用した方法に比較して、イオン化空気が内容器３の内壁付近を強制的に通過するので、イオン化空気の噴出量に対する塵や埃の除去効率が高まることになる。
【００２８】
更に、凸部１１全体を基台６に対して上昇及び下降動自在にしておいて、凸部１１を基台６より下に下降した状態で複合容器１を載置し、その後凸部１１を上昇動させて清掃作業を行い、作業終了後に凸部１１を下降させるようにすれば、複合容器１の基台６への載置や取り去りの際に凸部１１が邪魔にならず作業効率が向上する。
【００２９】
なお、この発明の清掃方法に用いる清掃装置は図１や図２のものに限定されるものではなく、種々の形態が適用できる。
【００３０】
例えば、静電気除去エアガンを可動式にして密閉容器内で動かすことにより内壁全体にイオン化空気が行き渡るようにしたり、エアガンの方向を斜め上に向けてイオン化空気が円筒状の内壁内で螺旋状に移動して塵や埃を除去していくようにしたりすることもできる。
【００３１】
また、この発明の清掃方法が適用できる複合容器の外容器についても、図示の金属製のドラム缶やペール缶に限定されるものではなく、プラスチック製の容器や紙製容器等、種々のものが適用でき、要するに、内容器に発生する静電気により塵や埃が吸着された複合容器全般に適用できるものである。
【図面の簡単な説明】
【００３２】
【図１】この発明の複合容器の清掃方法の一例を示す正面断面図。
【図２】この発明の複合容器の清掃方法の他の例を示す正面断面図。
【符号の説明】
【００３３】
１  複合容器
２  ドラム缶
３  内容器
４  底板
５  開口部
６  基台
７  フィルター収納部
８  ラバー
９  静電気除去エアガン
１０  空気排出口
１１  凸部
１２  空気排出口
【図１】
2005270827.tif 000003
【図２】
2005270827.tif 000004